(57)【要約】【課題】  使用者の都合に細かく対応した湯水の貯湯及び浴槽への風呂湯張りを行うことができる利便性の高い熱源システムを提供する。【解決手段】  湯水を生成して貯湯タンク４に貯湯する加熱手段Ｈと、貯湯タンク４に貯湯された湯水を用いて浴槽に風呂湯張りを行う風呂湯張り手段Ｂと、加熱手段Ｈ及び風呂湯張り手段Ｂの計画運転を行う運転制御手段７が設けられている熱源システムであって、運転制御手段７が、入力された風呂湯張り目標時刻までに浴槽３２への風呂湯張りが完了するように加熱手段Ｈ及び風呂湯張り手段Ｂの計画運転を行う風呂湯張り処理と、入力された貯湯目標時刻までに貯湯タンク４への浴用の湯水の貯湯が完了するように加熱手段Ｈの計画運転を行う浴用湯水貯湯処理とを選択的に実行可能に構成されている。【選択図】        図１
2006017386.tif 000002
【特許請求の範囲】
【請求項１】
湯水を生成して貯湯タンクに貯湯する加熱手段と、前記貯湯タンクに貯湯された湯水を用いて浴槽に風呂湯張りを行う風呂湯張り手段と、前記加熱手段及び前記風呂湯張り手段の計画運転を行う運転制御手段が設けられている熱源システムであって、
前記運転制御手段が、
入力された風呂湯張り目標時刻までに前記浴槽への風呂湯張りが完了するように前記加熱手段及び前記風呂湯張り手段の計画運転を行う風呂湯張り処理と、
入力された貯湯目標時刻までに前記貯湯タンクへの浴用の湯水の貯湯が完了するように前記加熱手段の計画運転を行う浴用湯水貯湯処理とを選択的に実行可能に構成されている熱源システム。
【請求項２】
前記風呂湯張り目標時刻及び前記貯湯目標時刻を入力する時刻入力手段が設けられ、
前記運転制御手段が、前記風呂湯張り目標時刻及び前記貯湯目標時刻のいずれかが入力されると、前記風呂湯張り処理及び前記浴用湯水貯湯処理のうちで、入力された時刻に対応する処理を選択して実行するように構成されている請求項１記載の熱源システム。
【請求項３】
前記運転制御手段が、前記風呂湯張り目標時刻及び前記貯湯目標時刻のいずれもが入力されると、前記風呂湯張り処理及び前記浴用湯水貯湯処理のうちで、前記風呂湯張り処理を選択して実行するように構成されている請求項２記載の熱源システム。
【請求項４】
前記運転制御手段が、前記風呂湯張り目標時刻及び前記貯湯目標時刻のいずれもが入力されると、前記風呂湯張り処理及び前記浴用湯水貯湯処理のうちで、時刻入力が後の方の処理を選択して実行するように構成されている請求項２記載の熱源システム。
【請求項５】
前記風呂湯張り目標時刻及び前記貯湯目標時刻のうちの一方を選択して入力する時刻入力手段が設けられ、
前記運転制御手段が、前記風呂湯張り目標時刻または前記貯湯目標時刻のいずれかが入力されると、前記風呂湯張り処理及び前記浴用湯水貯湯処理のうちで、入力された時刻に対応する処理を選択して実行するように構成されている請求項１記載の熱源システム。
【請求項６】
前記運転制御手段が、前記風呂湯張り目標時刻及び前記貯湯目標時刻のいずれもが入力されないと、過去の湯水消費パターンから予測される予測湯水消費パターンに基づいて導出される予測貯湯目標時刻までに前記貯湯タンクへの浴用の湯水の貯湯が完了するように前記加熱手段の計画運転を行う浴用湯水貯湯処理を実行するように構成されている請求項２〜５のいずれか１項に記載の熱源システム。
【請求項７】
前記運転制御手段が、前記風呂湯張り目標時刻及び前記貯湯目標時刻のいずれもが入力されないと、過去の湯水消費パターンから予測される予測湯水消費パターンに基づいて導出される予測風呂湯張り目標時刻までに前記浴槽への風呂湯張りが完了するように前記加熱手段及び前記風呂湯張り手段の計画運転を行う風呂湯張り処理を実行するように構成されている請求項２〜５のいずれか１項に記載の熱源システム。
【請求項８】
前記運転制御手段が、前記浴用湯水貯湯処理として、過去の湯水消費パターンから予測される予測湯水消費パターンに基づいて導出される予測貯湯目標時刻及び前記貯湯目標時刻の夫々に重み付けを行った重み付け平均によって平均目標時刻を導出し、前記平均目標時刻までに前記貯湯タンクへの浴用の湯水の貯湯が完了するように前記加熱手段の計画運転を行うように構成されている請求項２〜５のいずれか１項に記載の熱源システム。
【請求項９】
前記運転制御手段が、前記風呂湯張り処理として、過去の湯水消費パターンから予測される予測湯水消費パターンに基づいて導出される予測風呂湯張り目標時刻及び前記風呂湯張り目標時刻の夫々に重み付けを行った重み付け平均によって平均目標時刻を導出し、前記平均目標時刻までに前記浴槽への風呂湯張りが完了するように前記加熱手段及び前記風呂湯張り手段の計画運転を行うように構成されている請求項２〜５のいずれか１項に記載の熱源システム。
【発明の詳細な説明】
【技術分野】
【０００１】
本発明は、湯水を生成して貯湯タンクに貯湯する加熱手段と、貯湯タンクに貯湯された湯水を用いて浴槽に風呂湯張りを行う風呂湯張り手段と、加熱手段及び風呂湯張り手段の計画運転を行う運転制御手段が設けられている熱源システムに関する。
【背景技術】
【０００２】
予め湯水を生成して貯湯タンクに貯湯し、貯湯タンクに貯湯された湯水を用いて浴槽に風呂湯張りを行うような従来の熱源システムには、使用者に対して貯湯目標時刻を入力させるものがある。その結果、使用者自身によって入力された貯湯目標時刻までに貯湯タンクへの湯水の貯湯が行われることで、使用者による実際の湯水の消費時刻と、貯湯タンクへの湯水の貯湯時刻とが大きく逸脱しないことが確保されるようになって、使用者による湯水の使用時に、湯水の大幅な過不足が生じないようにすることが可能となっている（例えば、特許文献１参照）。
【０００３】
【特許文献１】特開２００２−５５２５号公報
【発明の開示】
【発明が解決しようとする課題】
【０００４】
上記従来の熱源システムは、貯湯タンクに湯水が貯湯されるだけであり、自動的な風呂湯張りが望まれることもある。このため、浴槽への風呂湯張りが行われる風呂湯張り目標時刻を使用者に対して入力させ、その風呂湯張り時刻までに貯湯タンクへの浴用の湯水の貯湯を行った上で、風呂湯張り目標時刻までに浴槽への風呂湯張りを行うように構成されている熱源システムも提案されている。
【０００５】
ところで、使用者の湯水の消費形態は日々変化するものであり、例えば、帰宅時刻がほぼ正確に予測され、その帰宅時刻頃に入浴をする可能性が非常に高いため、その帰宅時刻までに浴槽への風呂湯張りが行われることが好ましい日や、入浴する可能性は高いものの帰宅時刻が不確定であるため、その帰宅時刻までに浴槽への風呂湯張りが行われることは放熱などのエネルギ効率上好ましくなく、その帰宅時刻までに貯湯タンクへの浴用の湯水の貯湯が完了しており、帰宅した使用者自身が風呂湯張りの指令操作を行うことが好ましいような日もある。従って、前者の場合は上述した風呂湯張り目標時刻を入力するような熱源システムの方が使用者の利便性から有効であり、後者の場合は予め浴槽に風呂湯張りされたときに発生する湯水の放熱を避けることができるという点で上述した貯湯目標時刻を入力するような熱源システムがエネルギ効率上有効である。
【０００６】
そして、上記風呂湯張り目標時刻を入力するようなシステム及び上記貯湯目標時刻を入力するようなシステムの何れかのシステムも、上述のような使用者の都合に対応しきれていないのが現状である。つまり、目標時刻までに浴槽への風呂湯張りが毎日欠かさず行われてしまうシステムや、目標時刻までに貯湯タンクへの湯水の貯湯は行えるものの、自動的に風呂湯張りを行うことができないシステムでは、放熱などのエネルギ損失の発生を避けることが出来ず、又、利便性の低いものとなる不利があった。
【０００７】
本発明は、上記の課題に鑑みてなされたものであり、その目的は、使用者の都合に細かく対応した湯水の貯湯及び浴槽への風呂湯張りを行うことができる利便性及びエネルギ効率の高い熱源システムを提供する点にある。
【課題を解決するための手段】
【０００８】
上記目的を達成するための本発明に係る熱源システムの第１特徴構成は、湯水を生成して貯湯タンクに貯湯する加熱手段と、前記貯湯タンクに貯湯された湯水を用いて浴槽に風呂湯張りを行う風呂湯張り手段と、前記加熱手段及び前記風呂湯張り手段の計画運転を行う運転制御手段が設けられている熱源システムであって、前記運転制御手段が、入力された風呂湯張り目標時刻までに前記浴槽への風呂湯張りが完了するように前記加熱手段及び前記風呂湯張り手段の計画運転を行う風呂湯張り処理と、入力された貯湯目標時刻までに前記貯湯タンクへの浴用の湯水の貯湯が完了するように前記加熱手段の計画運転を行う浴用湯水貯湯処理とを選択的に実行可能に構成されている点にある。
【０００９】
上記第１特徴構成によれば、運転制御手段が、入力された風呂湯張り目標時刻までに浴槽への風呂湯張りが完了するように加熱手段及び風呂湯張り手段の計画運転を行う風呂湯張り処理と、入力された貯湯目標時刻までに貯湯タンクへの浴用の湯水の貯湯が完了するように加熱手段の計画運転を行う浴用湯水貯湯処理とを選択的に実行可能になり、帰宅時刻や入浴時刻などの使用者の都合を反映させることのできる風呂湯張り目標時刻及び貯湯目標時刻に従った風呂湯張り処理及び浴用湯水貯湯処理とが実行されるようになる。つまり、帰宅時刻がほぼ正確に予測され、その帰宅時刻頃に入浴をする可能性が非常に高いため、その帰宅時刻までに浴槽への風呂湯張りが完了していることが好ましい日には上記風呂湯張り目標時刻の入力を行えばよく、入浴する可能性は高いものの帰宅時刻が不確定であるため、その帰宅時刻までに浴槽への風呂湯張りが完了されていることは放熱などのエネルギ効率上好ましくない日には上記貯湯目標時刻の入力を行うなど、使用者の都合による湯水の消費形態が日々変化したとしても、その都合に応じた上記風呂湯張り処理及び上記浴用湯水貯湯処理を選択的に実行することが可能となる。
従って、使用者の都合に細かく対応した湯水の貯湯及び浴槽への風呂湯張りを行うことができる利便性及びエネルギ効率の高い熱源システムが提供されることになる。
【００１０】
本発明に係る熱源システムの第２特徴構成は、上記第１特徴構成に加えて、前記風呂湯張り目標時刻及び前記貯湯目標時刻を入力する時刻入力手段が設けられ、前記運転制御手段が、前記風呂湯張り目標時刻及び前記貯湯目標時刻のいずれかが入力されると、前記風呂湯張り処理及び前記浴用湯水貯湯処理のうちで、入力された時刻に対応する処理を選択して実行するように構成されている点にある。
【００１１】
上記第２特徴構成によれば、運転制御手段が、使用者が上記時刻入力手段を用いて風呂湯張り目標時刻を入力したときには上記風呂湯張り処理を実行し、及び、使用者が時刻入力手段を用いて貯湯目標時刻を入力したときには上記浴用湯水貯湯処理を実行するようになる。その結果、使用者にとって都合の良い上記貯湯目標時刻及び上記風呂湯張り目標時刻に対応した湯水の貯湯及び浴槽への風呂湯張りを選択的に行うことができるので、使用者にとって利便性及びエネルギ効率の高い熱源システムを構築することができる。
【００１２】
本発明に係る熱源システムの第３特徴構成は、上記第２特徴構成に加えて、前記運転制御手段が、前記風呂湯張り目標時刻及び前記貯湯目標時刻のいずれもが入力されると、前記風呂湯張り処理及び前記浴用湯水貯湯処理のうちで、前記風呂湯張り処理を選択して実行するように構成されている点にある。
【００１３】
上記第３特徴構成によれば、運転制御手段が、使用者が上記時刻入力手段を用いて風呂湯張り時刻及び貯湯目標時刻のいずれもを入力したときには、風呂湯張り処理及び浴用湯水貯湯処理のうちで、風呂湯張り処理を選択して実行するようになる。その結果、浴槽への風呂湯張りを実行するための特別の指令操作を不要にするという使用者の利便性を優先した熱源システムを構築することができる。
【００１４】
本発明に係る熱源システムの第４特徴構成は、上記第２特徴構成に加えて、前記運転制御手段が、前記風呂湯張り目標時刻及び前記貯湯目標時刻のいずれもが入力されると、前記風呂湯張り処理及び前記浴用湯水貯湯処理のうちで、時刻入力が後の方の処理を選択して実行するように構成されている点にある。
【００１５】
上記第４特徴構成によれば、運転制御手段が、使用者が上記時刻入力手段を用いて風呂湯張り時刻及び貯湯目標時刻のいずれもを入力したときには、時刻入力が後の方の処理を選択して実行するようになる。その結果、使用者の最近の都合が反映された処理を実行することが可能となる。
【００１６】
本発明に係る熱源システムの第５特徴構成は、上記第１特徴構成に加えて、前記風呂湯張り目標時刻及び前記貯湯目標時刻のうちの一方を選択して入力する時刻入力手段が設けられ、前記運転制御手段が、前記風呂湯張り目標時刻または前記貯湯目標時刻のいずれかが入力されると、前記風呂湯張り処理及び前記浴用湯水貯湯処理のうちで、入力された時刻に対応する処理を選択して実行するように構成されている点にある。
【００１７】
上記第５特徴構成によれば、運転制御手段が、使用者が風呂湯張り目標時刻及び貯湯目標時刻のうちの一方を選択して入力する時刻入力手段を使用して風呂湯張り目標時刻または貯湯目標時刻のいずれかを入力すると、風呂湯張り処理及び浴用湯水貯湯処理のうちで、入力された時刻に対応する処理を選択して実行するようになる。その結果、使用者によって最近に入力された目標時刻のみが運転制御手段によって受け付けられているので、使用者の最近の都合が反映された処理を実行することが可能となる。
【００１８】
本発明に係る熱源システムの第６特徴構成は、上記第２から第５のいずれかの特徴構成に加えて、前記運転制御手段が、前記風呂湯張り目標時刻及び前記貯湯目標時刻のいずれもが入力されないと、過去の湯水消費パターンから予測される予測湯水消費パターンに基づいて導出される予測貯湯目標時刻までに前記貯湯タンクへの浴用の湯水の貯湯が完了するように前記加熱手段の計画運転を行う浴用湯水貯湯処理を実行するように構成されている点にある。
【００１９】
上記第６特徴構成によれば、運転制御手段が、使用者が風呂湯張り目標時刻及び貯湯目標時刻のいずれもを入力しないと、過去の湯水消費パターンから予測される予測湯水消費パターンに基づいて導出される予測貯湯目標時刻までに貯湯タンクへの浴用の湯水の貯湯が完了するように加熱手段の計画運転を行う浴用湯水貯湯処理を実行するようになる。その結果、使用者による過去の湯水消費パターンと同様の通常の湯水の使用形態に応じて予測される、確度の高い湯水の消費時刻及び消費量に基づく浴用湯水貯湯処理を行うことが可能となる。
【００２０】
本発明に係る熱源システムの第７特徴構成は、上記第２から第５のいずれかの特徴構成に加えて、前記運転制御手段が、前記風呂湯張り目標時刻及び前記貯湯目標時刻のいずれもが入力されないと、過去の湯水消費パターンから予測される予測湯水消費パターンに基づいて導出される予測風呂湯張り目標時刻までに前記浴槽への風呂湯張りが完了するように前記加熱手段及び前記風呂湯張り手段の計画運転を行う風呂湯張り処理を実行するように構成されている点にある。
【００２１】
上記第７特徴構成によれば、運転制御手段が、使用者が風呂湯張り目標時刻及び貯湯目標時刻のいずれもを入力しないと、過去の湯水消費パターンから予測される予測湯水消費パターンに基づいて導出される予測風呂湯張り目標時刻までに浴槽への風呂湯張りが完了するように加熱手段及び風呂湯張り手段の計画運転を行う風呂湯張り処理を実行するようになる。その結果、使用者による過去の湯水消費パターンと同様の通常の湯水の使用形態に応じて予測される、確度の高い風呂湯張り時刻及び風呂湯張りにおける湯水消費量に基づく風呂湯張り処理を行うことが可能となる。
【００２２】
本発明に係る熱源システムの第８特徴構成は、上記第２から第５のいずれかの特徴構成に加えて、前記運転制御手段が、前記浴用湯水貯湯処理として、過去の湯水消費パターンから予測される予測湯水消費パターンに基づいて導出される予測貯湯目標時刻及び前記貯湯目標時刻の夫々に重み付けを行った重み付け平均によって平均目標時刻を導出し、前記平均目標時刻までに前記貯湯タンクへの浴用の湯水の貯湯が完了するように前記加熱手段の計画運転を行うように構成されている点にある。
【００２３】
上記第８特徴構成によれば、運転制御手段が上記浴用湯水貯湯処理を実行するときには、過去の湯水消費パターンから予測される予測湯水消費パターンに基づいて導出される予測貯湯目標時刻及び使用者によって入力された貯湯目標時刻の夫々に重み付けを行った重み付け平均によって平均目標時刻を導出し、その平均目標時刻までに貯湯タンクへの浴用の湯水の貯湯が完了するように加熱手段の計画運転を行うようになる。その結果、使用者が入力した主観的な貯湯目標時刻に対して、過去の湯水消費パターンという客観的なデータが加味されるので、使用者が入力した貯湯目標時刻が確度の低いものであっても、上記予測貯湯目標時刻を用いて導出される平均目標時刻を用いて確度の高い浴用湯水貯湯処理を実行することが可能となる。
【００２４】
本発明に係る熱源システムの第９特徴構成は、上記第２から第５のいずれかの特徴構成に加えて、前記運転制御手段が、前記風呂湯張り処理として、過去の湯水消費パターンから予測される予測湯水消費パターンに基づいて導出される予測風呂湯張り目標時刻及び前記風呂湯張り目標時刻の夫々に重み付けを行った重み付け平均によって平均目標時刻を導出し、前記平均目標時刻までに前記浴槽への風呂湯張りが完了するように前記加熱手段及び前記風呂湯張り手段の計画運転を行うように構成されている点にある。
【００２５】
上記第９特徴構成によれば、運転制御手段が上記風呂湯張り処理を実行するときには、過去の湯水消費パターンから予測される予測湯水消費パターンに基づいて導出される予測風呂湯張り目標時刻及び使用者によって入力された風呂湯張り目標時刻の夫々に重み付けを行った重み付け平均によって平均目標時刻を導出し、その平均目標時刻までに浴槽への風呂湯張りが完了するように加熱手段及び風呂湯張り手段の計画運転を行うようになる。その結果、使用者が入力した主観的な風呂湯張り目標時刻に対して、過去の湯水消費パターンという客観的なデータが加味されるので、使用者が入力した風呂湯張り目標時刻が確度の低いものであっても、上記予測風呂湯張り目標時刻を用いて導出される平均目標時刻を用いて確度の高い風呂湯張り処理を実行することが可能となる。
【発明を実施するための最良の形態】
【００２６】
＜第１実施形態＞
以下に図面を参照して第１実施形態の熱源システムについて説明する。
この熱源システムは、図１および図２に示すように、ガスエンジン１によって発電装置２を駆動するように構成された熱電併給装置３と、その熱電併給装置３にて発生する熱を利用しながら、貯湯タンク４への貯湯および熱消費端末５への熱媒供給を行う貯湯ユニット６と、熱電併給装置３および貯湯ユニット６の運転を制御する運転制御手段としての運転制御部７などから構成されている。
前記発電装置２の出力側には、系統連系用のインバータ８が設けられ、そのインバータ８は、発電装置２の出力電力を商用系統９から供給される電力と同じ電圧および同じ周波数にするように構成されている。
前記商用系統９は、例えば、単相３線式１００／２００Ｖであり、商業用電力供給ライン１０を介して、テレビ、冷蔵庫、洗濯機などの電力負荷１１に電気的に接続されている。
また、インバータ８は、熱電併給装置用供給ライン１２を介して商業用電力供給ライン１０に電気的に接続され、発電装置２からの発電電力がインバータ８および熱電併給装置用供給ライン１２を介して電気負荷１１に供給するように構成されている。
【００２７】
前記商業用電力供給ライン１０には、電力負荷１１の負荷電力を計測する電力負荷計測手段１３が設けられ、この電力負荷計測手段１３は、商業用電力供給ライン１０を通して流れる電流に逆潮流が発生するか否かをも検出するように構成されている。
そして、逆潮流が生じないように、インバータ８により発電装置２から商業用電力供給ライン１０に供給される電力が制御され、発電電力の余剰電力は、その余剰電力を熱に代えて回収する電気ヒータ１４に供給されるように構成されている。
【００２８】
前記電気ヒータ１４は、複数の電気ヒータから構成され、冷却水循環ポンプ１７の作動により冷却水循環路１５を通流するガスエンジン１の冷却水を加熱するように設けられ、発電装置２の出力側に接続された作動スイッチ１６によりＯＮ／ＯＦＦが切り換えられている。また、作動スイッチ１６は、余剰電力の大きさが大きくなるほど、電気ヒータ１４の消費電力が大きくなるように、余剰電力の大きさに応じて電気ヒータ１４の消費電力を調整するように構成されている。
【００２９】
前記貯湯ユニット６は、温度成層を形成する状態で湯水を貯湯する貯湯タンク４、湯水循環路１８を通して貯湯タンク４内の湯水を循環させる湯水循環ポンプ１９、熱源用循環路２０を通して熱源用湯水を循環させる熱源用循環ポンプ２１、熱媒循環路２２を通して熱媒を熱消費端末５に循環供給させる熱媒循環ポンプ２３、湯水循環路１８を通流する湯水を加熱させる貯湯用熱交換器２４、熱源用循環路２０を通流する熱源用湯水を加熱させる熱源用熱交換器２５、熱媒循環路２２を通流する熱媒を加熱させる熱媒加熱用熱交換器２６、ファン２７を作動させた状態でのバーナ２８の燃焼により貯湯タンク４内から取り出した湯水および熱源用循環路２０を通流する熱源用湯水を加熱させる補助加熱用熱交換器２９などを備えて構成されている。また、貯湯タンク４内の湯水の温度を計測する複数の温度センサＴが貯湯タンク４に設けられており、これにより、貯湯タンク４内の湯水の温度成層の形成状態を知ることができる。
【００３０】
前記貯湯用熱交換器２４においては、熱電併給装置３にて発生する熱を回収した冷却水循環路１５の冷却水を通流させることにより、湯水循環路１８を通流する湯水を加熱させるように構成されている。前記熱源用熱交換器２５においては、熱電併給装置３にて発生する熱を回収した冷却水循環路１５の冷却水を通流させることにより、熱源用循環路２０を通流する熱源用湯水を加熱させるように構成されている。
【００３１】
そして、加熱手段Ｈが、ガスエンジン１、熱電併給装置３、電気ヒータ１４、冷却水循環路１５、冷却水循環ポンプ１７、湯水循環路１８、湯水循環ポンプ１９及び貯湯用熱交換器２４により構成され、熱電併給装置３の発生発熱を用いて湯水の貯湯を行うようになっている。
また、熱源用循環路２０には、熱源用湯水の通流を断続させる熱源用断続弁４０が設けられている。
【００３２】
前記冷却水循環路１５は、貯湯用熱交換器２４側と熱源用熱交換器２５側とに分岐され、その分岐箇所に、貯湯用熱交換器２４側に通流させる冷却水の流量と熱源用熱交換器２５側に通流させる冷却水の流量との割合を調整する分流弁３０が設けられている。
そして、分流弁３０は、冷却水循環路１５の冷却水の全量を貯湯用熱交換器２４側に通流させたり、冷却水循環路１５の冷却水の全量を熱源用熱交換器２５側に通流させることもできるように構成されている。
【００３３】
前記熱媒加熱用熱交換器２６においては、熱源用熱交換器２５や補助加熱用熱交換器２９にて加熱された熱源用湯水を通流させることにより、熱媒循環路２２を通流する熱媒を加熱させるように構成されている。
前記熱消費端末５は、床暖房装置や浴室暖房装置などの暖房端末にて構成されている。
【００３４】
補助加熱手段Ｍが、ファン２７、バーナ２８、補助加熱用熱交換器２９により構成され、その補助加熱手段Ｍは、ファン２７を作動させた状態でバーナ２８を燃焼させる加熱状態で作動させたり、バーナ２８の非燃焼状態でファン２７を作動させる放熱状態で作動させることができるように構成されている。
そして、補助加熱手段Ｍを加熱状態で作動させることにより、補助加熱用熱交換器２９において、貯湯タンク４内から取り出した湯水や熱源用循環路２０を通流する熱源用湯水を加熱させ、補助加熱手段Ｍを放熱状態で作動させることにより、熱源用循環路２０を通流する熱源用湯水から熱を放熱させるように構成されている。
【００３５】
また、貯湯タンク４から取り出した湯水を給湯路３３によって給湯するときの給湯熱負荷量を計測する給湯熱負荷計測手段３１が設けられている。そして、給湯熱負荷計測手段３１によって、シャワーなどの通常の給湯量と、湯張り路３４を通過して浴槽３２に供給される湯水の給湯量（湯張り量）とが計測される。
【００３６】
前記運転制御部７は、熱源システムの運転状態において、熱電併給装置３の運転中には冷却水循環ポンプ１７を作動させる状態で、熱電併給装置３の運転および冷却水循環ポンプ１７の作動状態を制御すると共に、湯水循環ポンプ１９、熱源用循環ポンプ２１、熱媒循環ポンプ２３の作動状態を制御することによって、貯湯タンク４内に湯水を貯湯する貯湯運転や、湯張り弁３５の開閉を調整して、浴槽に湯水を湯張りする湯張り運転や、熱消費端末５に熱媒を供給する熱媒供給運転を行うように構成されている。尚、図示していないが、貯湯タンクに貯湯されている湯水と水道水とをミキシング弁によって混合して水温を調整した上で給湯（湯張りを含む）が行われている。
【００３７】
そして、風呂湯張り手段Ｂが、給湯路３３、湯張り路３４及び湯張り弁３５などにより構成され、貯湯タンク４に貯湯された湯水を用いて浴槽３２に風呂湯張りを行うようになっている。
【００３８】
ちなみに、給湯するときには、熱源用断続弁４０を閉弁した状態で貯湯タンク４から取り出した湯水を給湯するように構成され、貯湯タンク４内に貯湯用設定温度の湯水が貯湯されていれば、その湯水を補助加熱手段Ｍにて加熱させずに給湯し、貯湯タンク４内に貯湯用設定温度の湯水が貯湯されていなければ、補助加熱手段Ｍを作動させて、貯湯タンク４から取り出し湯水を補助加熱手段Ｍにて加熱して給湯するように構成されている。
【００３９】
次に、運転制御部７による加熱手段Ｈ及び風呂湯張り手段Ｂの計画運転について説明する。
本実施形態の熱源システムは、使用者による湯水の使用形態が日々変化したとしても、その使用形態に対応できるように、運転制御部７が、入力された風呂湯張り目標時刻までに浴槽３２への風呂湯張りが完了するように加熱手段Ｈ及び風呂湯張り手段Ｂの計画運転を行う風呂湯張り処理と、入力された貯湯目標時刻までに貯湯タンクへの浴用の湯水の貯湯が完了するように加熱手段Ｈの計画運転を行う浴用湯水貯湯処理とを選択的に実行可能に構成されている。
また、運転制御部７は、熱源システムの使用者自身によって目標時刻の入力が行われなかったときには、過去と同様の使用形態で湯水が消費されるとみなして、使用者による過去の湯水消費パターンから予測される予測湯水消費パターンに基づいて予測貯湯目標時刻を導出し、その予測貯湯目標時刻までに貯湯タンク４への浴用の湯水の貯湯が完了するように加熱手段Ｈの計画運転を行う浴用湯水貯湯処理を実行するように構成されている。
【００４０】
運転制御部７が上記風呂湯張り処理を実行するときの風呂湯張り目標時刻及び浴用湯水貯湯処理を実行するときの貯湯目標時刻は、リモコン５０に設けられている時刻入力手段としての風呂湯張り目標時刻入力スイッチ５３ａ、貯湯目標時刻入力スイッチ５４ａ、増加キー５５、減少キー５６を使用して、使用者自身によって入力されるようになっている。
【００４１】
図２及び図３に示すように、この熱源システムの使用者はリモコン５０に設けられている時刻入力手段としての風呂湯張り目標時刻入力スイッチ５３ａ、貯湯目標時刻入力スイッチ５４ａ、増加キー５５、減少キー５６を使用して、上述の風呂湯張り目標時刻及び貯湯目標時刻を入力可能である。具体的には、風呂湯張り目標時刻入力スイッチ５３ａがオン操作されると風呂湯張り目標時刻用表示部５３ｂが点灯し、増加キー５５及び減少キー５６の操作入力に応じて、表示部５７に表示される風呂湯張り目標時刻の設定変更が行われる。また、貯湯目標時刻入力スイッチ５４ａがオン操作されると貯湯目標時刻用表示部５４ｂが点灯し、増加キー５５及び減少キー５６の操作入力に応じて、表示部５７に表示される貯湯目標時刻の設定変更が行われる。
本実施形態では、運転制御部７は、使用者が風呂湯張り目標時刻及び貯湯目標時刻の両方を入力したときには、風呂湯張り目標時刻及び貯湯目標時刻の夫々を記憶することができるように構成されている。従って、風呂湯張り目標時刻及び貯湯目標時刻の両方の入力が行われているときには、風呂湯張り目標時刻用表示部５３ｂ及び貯湯目標時刻用表示部５４ｂの両方が点灯している。
【００４２】
次に、運転制御部７による熱電併給装置３の計画運転処理について、まず、上記目標時刻が過去の湯水消費パターンから予測される予測湯水消費パターンに基づいて導出される場合の説明を行う。
運転制御部７は、貯湯タンク４に貯湯されている湯水の量に関して過不足が発生しないように、使用者が湯水を消費する前に、浴槽３２への風呂湯張りやシャワーなどの浴用目的で消費される多量の湯水を貯湯タンク４に予め貯湯しておく必要がある。つまり、運転制御部７は、後述するように、過去の湯水消費パターンから予測される予測湯水消費パターンに基づいて予測貯湯目標時刻及び予測貯湯熱負荷量を予め導出し、その予測貯湯目標時刻の設定余裕時間前において、予測貯湯目標熱負荷量に相当する熱量の湯水を貯湯タンク４に貯湯しておかねばならない。尚、熱源システムの使用者が浴用目的で湯水の消費を開始する時刻の検出は、リモコン５０の給湯スイッチ５２ａがオン操作された後、設定量以上の湯水が設定時間以上流れたことを給湯熱負荷計測手段３１が検出することによって行われ、そのときの湯水の温度と量とにより貯湯熱負荷量を導出している。また、リモコン５０の給湯スイッチ５２ａ及び風呂湯張りスイッチ５１ａがオン操作された後、湯張り弁３５が開放された状態で設定量以上の湯水が設定時間以上流れたことを給湯熱負荷計測手段３１が検出することによって行った場合には、それが浴槽３２への風呂湯張りに使用されたと記憶される。
【００４３】
運転制御部７は、給湯時刻及び給湯熱負荷量を分単位のデータとして逐次収集して、１日分の給湯時刻データ及び給湯熱負荷量データを期間属性としての曜日と対応付けて記憶しており、記憶されている過去の給湯時刻データ及び給湯熱負荷量データを参照して、予測日の予測貯湯目標時刻を予測貯湯目標時刻導出条件に従って導出する演算処理を行う。そして、運転制御部７は、予測貯湯目標時刻の設定余裕時間前に、貯湯タンク４に予測貯湯目標熱負荷量に相当する熱量の湯水を貯湯するように加熱手段Ｈの運転制御を行う。
【００４４】
図４（イ）に示すのは１日の電力負荷予測量データであり、過去の電力負荷実績量の時間的な変化パターンを時刻毎に平均化処理するなどの導出手法を用いて導出可能である。図４（ロ）に示すのは１日の予測貯湯熱負荷量データであり、後述する導出手法を用いて導出可能である。尚、浴用目的での熱負荷量の他に、熱消費端末５で消費される熱負荷量も存在するが、それらは浴用目的での熱負荷量と比べて非常に小さい。但し、運転制御部７は、貯湯タンク４には浴用目的での熱負荷量と他の暖房などの熱負荷量との合計熱負荷量に相当する湯水を貯湯するように加熱手段Ｈを運転制御するように構成されている。
【００４５】
そして、運転制御部７は、過去の給湯時刻データ及び過去の給湯熱負荷量データの内、予測日の前日から４週間分のデータを、予測貯湯目標時刻及び予測貯湯熱負荷量を導出するために記憶しているものとする。表１及び表２に示すのは基準日である予測日の前日から４週間分の給湯時刻データ：Ｔと給湯熱負荷量データ：Ｑである。
【００４６】
【表１】
2006017386.tif 000003
【００４７】
【表２】
2006017386.tif 000004
【００４８】
そして、運転制御部７は、過去の給湯時刻と〔数１〕に示す予測貯湯目標時刻導出条件とに基づいて予測日における予測貯湯目標時刻を導出し、過去の給湯熱負荷量と予測貯湯熱負荷量導出条件とに基づいて予測日における予測貯湯熱負荷量を導出する。尚、本実施形態では、参照する過去の給湯時刻として、予測日の前日の給湯時刻：ＴYと、予測日と同じ曜日の前三週間分の給湯時刻の平均値：ＴAとを用い、参照する過去の給湯熱負荷量として、予測日の前日の給湯熱負荷量：ＱYと、予測日と同じ曜日の前三週間分の給湯熱負荷量の平均値：ＱAとを用いている。具体的には、予測日の前日の給湯時刻：ＴYはT(0-tue)であり、予測日と同じ曜日の前三週間分の給湯時刻の平均値：ＴAは、T(1-wed)とT(2-wed)とT(3-wed)との平均値である。そして、予測日の前日の給湯熱負荷量：ＱYはQ(0-tue)であり、予測日と同じ曜日の前三週間分の給湯熱負荷量の平均値：ＱAは、Q(1-wed)とQ(2-wed)とQ(3-wed)との平均値である。また、定数ｋ、ｍには適当な値が代入されて、予測日の前日の給湯時刻：ＴYと、予測日と同じ曜日の前三週間分の給湯時刻の平均値：ＴAとに重み付けを行い、予測日の前日の給湯熱負荷量：ＱYと、予測日と同じ曜日の前三週間分の給湯熱負荷量の平均値：ＱAとに重み付けを行っている。
【００４９】
〔数１〕
予測貯湯目標時刻：ＴP＝（１−ｋ）ＴY＋ｋＴA        （０≦ｋ≦１）
予測貯湯熱負荷量：ＱP＝（１−ｍ）ＱY＋ｍＱA    （０≦ｍ≦１）
【００５０】
上述のようにして、運転制御部７は予測貯湯目標時刻：ＴPと予測貯湯熱負荷量：ＱPとを導出する。そして、運転制御部７は、図４（ハ）に示すように、他の予測熱負荷量：ＱSを考慮し、予測貯湯目標時刻の設定余裕時間：ＴSだけ前に、貯湯タンク４にＱP＋ＱSに相当する熱量の湯水が蓄熱されるように、熱電併給装置３の運転を制御する。その結果、使用者が湯水の消費を開始するときには、貯湯タンク４に必要な熱量の湯水が貯湯されているようになる。また、加熱手段Ｈの計画運転を行ったにも拘わらず実際の湯水の貯湯完了時刻が予測貯湯目標時刻を超過したとしても、その超過時間は小さいものであると予測される。
【００５１】
以上のように、運転制御部７が、過去の湯水消費パターンから予測される予測湯水消費パターンに基づいて導出される予測貯湯目標時刻までに貯湯タンク４への浴用の湯水の貯湯が完了するように加熱手段Ｈの計画運転を行う浴用湯水貯湯処理を実行する場合について説明したが、これは使用者が過去と同様の使用形態で湯水の使用をするであろうという推測に基づいて行われているものである。
【００５２】
一方で、使用者が特別な湯水の使用形態を行うときには、上記貯湯目標時刻及び上記風呂湯張り目標時刻を入力するリモコン５０（風呂湯張り目標時刻入力スイッチ５３ａ、貯湯目標時刻入力スイッチ５４ａ、上キー５５及び下キー５６）が設けられているので、使用者の都合に基づいて入力される貯湯目標時刻までに貯湯タンク４への浴用の湯水の貯湯が完了するように加熱手段Ｈの計画運転を行う後述の浴用湯水貯湯処理が実行されるようになる。また、使用者によって風呂湯張り目標時刻が入力されたときには、その風呂湯張り目標時刻までに浴槽３２への風呂湯張りが完了するように加熱手段Ｈ及び風呂湯張り手段Ｂの計画運転を行う後述の風呂湯張り処理が実行されるようになる。これらの目標時刻の入力又は変更は、各処理の実行が終了するまで可能であり、運転制御部７は、有効な目標時刻の入力又は変更が行われると、即座に処理の変更を行うように構成されている。
【００５３】
以下に図５を参照して、入力された貯湯目標時刻に基づいて実行される浴用湯水貯湯処理と入力された風呂湯張り時刻に基づいて実行される風呂湯張り処理について説明する。
上述のようにして貯湯目標時刻が入力されると、図５（イ）及び図５（ロ）に示すように運転制御部７は、上記予測貯湯目標時刻をキャンセルして、入力された貯湯目標時刻の設定余裕時間：Ｔｓだけ前に、貯湯タンク４に上述したＱｐ＋Ｑｓに相当する熱量の湯水が蓄熱されるように加熱手段Ｈの運転計画を変更する。その結果、使用者の湯水の使用形態が通常とは異なる特別なものであっても、使用者の都合に応じた時刻までに貯湯タンク４に必要な量の湯水が貯湯されていることとなる。また、加熱手段Ｈの計画運転を行ったにも拘わらず実際の湯水の貯湯完了時刻が上記貯湯目標時刻を超過したとしても、その超過時間は小さいものであると予測される。
【００５４】
また、上記風呂湯張り目標時刻が入力されると、運転制御部７は、図５に例示した浴用湯水貯湯処理の場合と同様に、その風呂湯張り目標時刻より前に、貯湯タンク４に上述した（Ｑｐ＋Ｑｓ）に相当する熱量の湯水が蓄熱されるように加熱手段Ｈの運転を制御し、且つ、その風呂湯張り目標時刻までに浴槽３２への風呂湯張りが完了するように風呂湯張り手段Ｂの運転を制御する。その結果、使用者の湯水の使用形態が通常とは異なる特別なものであっても、使用者の都合に応じた時刻までに貯湯タンク４に必要な量の湯水が貯湯され、且つ、浴槽３２への風呂湯張りが自動的に行われることとなる。また、加熱手段Ｈ及び風呂湯張り手段Ｂの計画運転を行ったにも拘わらず実際の風呂湯張り完了時刻が上記風呂湯張り目標時刻を超過したとしても、その超過時間は小さいものであると予測される。
【００５５】
但し、本実施形態において、運転制御部７は、上記風呂湯張り目標時刻及び上記貯湯目標時刻のいずれもが入力されると、それらの目標時刻に応じた風呂湯張り処理及び浴用湯水貯湯処理のうちで、風呂湯張り処理を選択して実行するように構成されている。また、上述したように、これらの目標時刻の入力又は変更は各処理の実行が終了するまで可能であり、運転制御部７は、有効な目標時刻の入力又は変更が行われると、即座に処理の変更を行うように構成されている。
【００５６】
＜第２実施形態＞
第２実施形態の熱源システムは、運転制御部７が、使用者自身によって目標時刻の入力が行われなかったときには、過去と同様の使用形態で湯水が消費されるとみなして、使用者による過去の湯水消費パターンから予測される予測湯水消費パターンに基づいて予測風呂湯張り目標時刻を導出し、その予測風呂湯張り目標時刻までに浴槽３２への風呂湯張りが完了するように加熱手段Ｈ及び風呂湯張り手段Ｂの計画運転を行う風呂湯張り処理を実行するように構成されている点で、予測貯湯目標時刻を導出し、その予測貯湯目標時刻までに貯湯タンク４への貯湯が完了するように加熱手段Ｈの計画運転を行う浴用湯水貯湯処理を実行するように構成されていた第１実施形態と異なっている。以下に第２実施形態の熱源システムについて説明するが、第１実施形態と同様の構成については説明を省略する。
【００５７】
第１実施形態と同様に、運転制御部７は、給湯実績時刻及び実績給湯熱負荷量を分単位のデータとして収集して、１日分の給湯時刻データ及び給湯熱負荷量データを期間属性としての曜日と対応付けて記憶しており、記憶されている過去の給湯時刻データ及び給湯熱負荷量データを参照して、予測日の予測風呂湯張り目標時刻を予測風呂湯張り目標時刻導出条件に従って導出する演算処理を行う。
本実施形態において、過去の湯水消費パターンから予測される予測湯水消費パターンに基づいて行われる予測風呂湯張り目標時刻及び予測風呂湯張り熱負荷量の導出手法は、第１実施形態で説明した過去の湯水消費パターンから予測される予測湯水消費パターンに基づいて行われる予測貯湯目標時刻及び予測貯湯熱負荷量の導出手法と同じである。つまり、本実施形態の予測風呂湯張り目標時刻及び予測風呂湯張り熱負荷量は、第１実施形態で導出した予測貯湯目標時刻及び予測貯湯熱負荷量と同じである。
【００５８】
そして運転制御部７は、上述のようにして予測風呂湯張り目標時刻：ＴPと予測風呂湯張り熱負荷量：ＱPとを導出する。そして、運転制御部７は、図４（ハ）に示すように、他の予測熱負荷量：ＱSを考慮し、予測風呂湯張り目標時刻よりも前に、貯湯タンク４に上記予測風呂湯張り目標熱負荷量を賄えるだけの湯水の貯湯が行われるように加熱手段Ｈの運転を制御し、且つ、その予測風呂湯張り目標時刻までに浴槽３２への風呂湯張りが完了するように風呂湯張り手段Ｂの運転を制御する。
【００５９】
＜第３実施形態＞
第３実施形態の熱源システムは、風呂湯張り目標時刻及び貯湯目標時刻のうちの一方を選択して入力することができる、つまり、運転制御部７は、使用者が入力する風呂湯張り時刻及び貯湯目標時刻のうちの一方のみを記憶することができるように構成されている点で、風呂湯張り目標時刻及び貯湯目標時刻の夫々を記憶することができるように構成されていた第１実施形態及び第２実施形態と異なる。
【００６０】
具体的には、図３に示したようなリモコン５０において、風呂湯張り目標時刻入力スイッチ５３ａがオン操作されると風呂湯張り目標時刻用表示部５３ｂが点灯し、増加キー５５及び減少キー５６の操作入力に応じて、表示部５７に表示される風呂湯張り目標時刻の設定変更が行われる。しかし、その後に貯湯目標時刻入力スイッチ５４ａがオン操作されると貯湯目標時刻用表示部５４ｂが点灯し、且つ、風呂湯張り目標時刻用表示部５３ｂが消灯して風呂湯張り目標時刻がキャンセルされる。そして、増加キー５５及び減少キー５６の操作入力に応じて、表示部５７に表示される貯湯目標時刻の設定変更が行われるようになる。
【００６１】
＜別実施形態＞
＜１＞
上記第１実施形態及び第２実施形態では、運転制御部７が、風呂湯張り目標時刻及び貯湯目標時刻のいずれもが入力されると、それらの目標時刻に応じた風呂湯張り処理及び浴用湯水貯湯処理のうちで、風呂湯張り処理を選択して実行するように構成されている場合について説明したが、時刻入力が後の方の処理を選択して実行するように構成してもよい。
【００６２】
＜２＞
上記第１実施形態及び第２実施形態では、運転制御部７が、風呂湯張り目標時刻及び貯湯目標時刻のいずれもが入力されると、それらの目標時刻に応じた風呂湯張り処理及び浴用湯水貯湯処理のうちで、風呂湯張り処理を選択して実行するように構成されている場合について説明したが、浴用湯水貯湯処理を選択して実行するように構成してもよい。
【００６３】
＜３＞
上記実施形態では、運転制御部７が、使用者によって入力された貯湯目標時刻及び風呂湯張り目標時刻に応じて浴用湯水貯湯処理及び風呂湯張り処理を実行する場合について説明したが、使用者自身によって入力された上記目標時刻と実際の湯水消費時刻とが必ずしも合致する訳ではなく、過去の湯水消費パターンなど客観的なデータに基づいて導出された予測目標時刻を加味すべきであることもある。従って、運転制御部７が、使用者によって入力された主観的な貯湯目標時刻又は風呂湯張り目標時刻に対して客観的なデータを用いて補正処理を行い、補正後の貯湯目標時刻及び風呂湯張り目標時刻に応じて浴用湯水貯湯処理及び風呂湯張り処理を実行するようにしてもよい。
【００６４】
具体的には、運転制御部７が浴用湯水貯湯処理を実行するとき、過去の湯水消費パターンから予測される予測湯水消費パターンに基づいて導出される予測貯湯目標時刻、及び、入力された貯湯目標時刻の夫々に重み付けを行った重み付け平均によって平均目標時刻を導出し、その平均目標時刻までに貯湯タンク４への浴用の湯水の貯湯が完了するように加熱手段Ｈの計画運転を行うようにしてもよい。
また、運転制御部７が風呂湯張り処理を行うとき、過去の湯水消費パターンから予測される予測湯水消費パターンに基づいて導出される予測風呂湯張り目標時刻、及び、入力された風呂湯張り目標時刻の夫々に重み付けを行った重み付け平均によって平均目標時刻を導出し、その平均目標時刻までに浴槽３２への風呂湯張りが完了するように加熱手段Ｈ及び風呂湯張り手段Ｂの計画運転を行うようにしてもよい。
上記重み付けの値は適宜変更可能であり、例えば、予測貯湯目標時刻までに貯湯を行うこと及び予測風呂湯張り時刻までに風呂湯張りを行うことの方が使用者の実際の湯水の消費時刻を考慮して適切であるときには、入力された貯湯目標時刻及び風呂湯張り目標時刻よりも予測貯湯目標時刻及び予測風呂湯張り目標時刻に対する重み付けが大きくなるようにすればよい。
【００６５】
＜４＞
上記実施形態では、風呂湯張り目標時刻及び貯湯目標時刻が使用者によって入力されるものとしていたが、予め運転制御部７に対して設定されている初期設定値を利用してもよい。この初期設定値としては、過去に使用者自身が入力した目標時刻の値を用いることができる。例えば、一旦、使用者によって入力された目標時刻がリモコン５０の操作によってキャンセルされない間は、その目標時刻が有効となるように構成することができる。リモコン５０の操作による目標時刻のキャンセル方法としては、例えば、風呂湯張り目標時刻が入力されて風呂湯張り目標時刻用表示部５３ｂが点灯しているときに、風呂湯張り目標時刻入力スイッチ５３ａを押し操作することで風呂湯張り目標時刻用表示部５３ｂを消灯させると共に風呂湯張り目標時刻をキャンセルする方法などがある。
【００６６】
＜５＞
上記実施形態では、リモコン５０によって、例えば、「１７：３０（１７時３０分）」や「１９：００（１９時）」などの形式で風呂湯張り目標時刻及び貯湯目標時刻を入力するように構成した場合について説明したが、他の形式で風呂湯張り目標時刻及び貯湯目標時刻を入力するように構成してもよい。例えば、現在の時刻が８：００（８時）であり、現在から１０時間後の１８：００を風呂湯張り目標時刻に設定したいとき、リモコン５０によって「１０（１０時間後）」を入力させるように構成してもよい。つまり、現在の時刻から風呂湯張り目標時刻及び貯湯目標時刻までの所要時間を入力させる形式で、風呂湯張り目標時刻及び貯湯目標時刻の入力が行われることになる。
【００６７】
＜６＞
上記実施形態では、給湯路３３に設けられた給湯熱負荷計測手段３１を用いて浴槽３２へ供給される湯水の供給量を計測するように構成していたが、湯張り路３４に、浴槽３２へ供給される湯水の供給量のみを計測するための風呂湯張り熱負荷計測手段を設けるように構成してもよい。この風呂湯張り熱負荷計測手段を湯張り路３４に設けた場合には、実際の風呂湯張り時刻及び風呂湯張り熱負荷量をより正確に計測できるようになるため、より確度の高い風呂湯張り処理を行うことができるようになる。
【００６８】
＜７＞
上記実施形態では、加熱手段Ｈが、ガスエンジン１、熱電併給装置３、電気ヒータ１４、冷却水循環路１５、冷却水循環ポンプ１７、湯水循環路１８、湯水循環ポンプ１９及び貯湯用熱交換器２４により構成されている例について説明したが、加熱手段Ｈの構成はこれに限定されるものではなく、様々な改変を行うことができる。また、熱電併給装置３としてガスエンジン２を用いた熱源システムについて例に説明を行ったが、燃料電池などの他の装置を用いた熱電併給装置を用いた熱源システムを構築することもできる。
【図面の簡単な説明】
【００６９】
【図１】熱源システムの概略図
【図２】熱源システムのブロック図
【図３】リモコンの概略図
【図４】時系列的なデータを示す図
【図５】時系列的なデータを示す図
【符号の説明】
【００７０】
４  貯湯タンク
７  運転制御部（運転制御手段）
３２  浴槽
Ｈ  加熱手段
Ｂ  風呂湯張り手段
【図１】
2006017386.tif 000005
【図２】
2006017386.tif 000006
【図３】
2006017386.tif 000007
【図４】
2006017386.tif 000008
【図５】
2006017386.tif 000009